(57)【特許請求の範囲】
【請求項１】
ベースと該ベースの上端に固定される天板で成り一端面が径の異なる大小２種類のディスク状記録媒体を装填するための装填口として開口されているシャーシの内部に、前記ベースに固定した緩衝器で支持される基板と前記ディスク状記録媒体を移送する送りローラを設け、前記基板に前記ディスク状記録媒体を回転自在に支持するターンテーブルを含む再生用機器を取り付けたディスク再生装置において、前記天板の裏面に前記ディスク状記録媒体の大小を判別する判別機構を取り付け、その判別機構は前記ディスク状記録媒体の装填方向の両側に揺動自在に取り付けられ一端が互いに連接されるとともに他端に突部をそれぞれ設けた一対の連動リンクと、一端に突起を設けた揺動リンクと、前記ディスク状記録媒体の装填方向に向け可動であって一端が前記連動リンクの一方に係合され他端に前記揺動リンクを揺動自在に設けた直動リンクと、一端に前記装填口に近接する解錠ピンを設け他端に前記連動リンクの一方の部位と係合するロック片を突設した揺動自在なロックプレートとで構成され、小径のディスク状記録媒体の装填時には前記ロック片にて前記連動リンクの揺動が規制されて当該ディスク状記録媒体がその端面を前記突部に当接した状態で定位置に停止され、大径のディスク状記録媒体の装填時には前記連動リンクの揺動規制が解除された状態で当該ディスク状記録媒体が前記突部の間を通過して定位置まで進行し、またそれらディスク状記録媒体が定位置に到達する直前に前記突起が加圧されて前記突部と突起がそれらの端面から離脱した状態で前記送りローラが停止されるようにしたことを特徴とするディスク再生装置。
【発明の詳細な説明】
【０００１】
【産業上の利用分野】
本発明は、音楽情報などを記録したディスク状記録媒体の再生に用いられるディスク再生装置に関し、詳細には大小２種類のディスク状記録媒体を再生可能としたディスク再生装置であって、特に自動車など振動系での使用に適するようにしたものである。
【０００２】
【従来の技術】
近年、音楽情報などを記録したディスク状記録媒体として、ＣＤ（コンパクトディスク）やデジタルビデオディスク（ＤＶＤ）などがあるが、それらには規格があってサイズが特定されている。例えば、ＣＤには直径が１２ｃｍのものと、これより小径でシングルＣＤと呼ばれる直径が８ｃｍのものと２種類がある。
【０００３】
一方、それらのディスク状記録媒体を再生するディスク再生装置にあって、ＣＤのように大小２種類あるディスク状記録媒体の再生に兼用できるものがある。
【０００４】
従来、その種のディスク再生装置は、ターンテーブルやピックアップといった再生用機器を搭載した基板にディスク状記録媒体の大小を判別する判別機構を取り付け、その判別機構で大小２種類のディスク状記録媒体をターンテーブル上に案内できるようにしてある。
【０００５】
【発明が解決しようとする課題】
しかしながら、上記従来のディスク再生装置によれば、再生用機器を搭載している基板に判別機構を取り付けている関係上、自動車などの振動系では判別機構が基板に共鳴し、その振動で音跳びを生ずるなどディスク状記録媒体の再生に悪影響を及ぼすという難点があった。
【０００６】
また、従来の判別機構は部品点数が多く煩雑であって、生産性も悪く故障の危険性も高いものであった。
【０００７】
【課題を解決するための手段】
本発明は上記課題を達成するため、ベースと該ベースの上端に固定される天板で成り一端面が径の異なる大小２種類のディスク状記録媒体を装填するための装填口として開口されているシャーシの内部に、前記ベースに固定した緩衝器で支持される基板と前記ディスク状記録媒体を移送する送りローラを設け、前記基板に前記ディスク状記録媒体を回転自在に支持するターンテーブルを含む再生用機器を取り付けたディスク再生装置において、前記天板の裏面に前記ディスク状記録媒体の大小を判別する判別機構を取り付け、その判別機構は前記ディスク状記録媒体の装填方向の両側に揺動自在に取り付けられ一端が互いに連接されるとともに他端に突部をそれぞれ設けた一対の連動リンクと、一端に突起を設けた揺動リンクと、前記ディスク状記録媒体の装填方向に向け可動であって一端が前記連動リンクの一方に係合され他端に前記揺動リンクを揺動自在に設けた直動リンクと、一端に前記装填口に近接する解錠ピンを設け他端に前記連動リンクの一方の部位と係合するロック片を突設した揺動自在なロックプレートとで構成され、小径のディスク状記録媒体の装填時には前記ロック片にて前記連動リンクの揺動が規制されて当該ディスク状記録媒体がその端面を前記突部に当接した状態で定位置に停止され、大径のディスク状記録媒体の装填時には前記連動リンクの揺動規制が解除された状態で当該ディスク状記録媒体が前記突部の間を通過して定位置まで進行し、またそれらディスク状記録媒体が定位置に到達する直前に前記突起が加圧されて前記突部と突起がそれらの端面から離脱した状態で前記送りローラが停止されるようにしたことを特徴とするディスク再生装置を提供するものである。
【０００８】
【作用】
本発明によれば、ディスク状記録媒体の大小を判別する判別機構をシャーシの天板に設けているから、このディスク再生装置を自動車などの振動系で用いたときでも判別機構と基板が共鳴せず、ターンテーブルなどの再生用機器を搭載した基板は緩衝器による高い緩衝性を保って安定状態を持続する。このため、その状態でディスク状記録媒体を再生したとき、音跳びなどが発生せず良質な音声が再生されることとなる。
【０００９】
【発明の実施の形態】
以下、本発明の好適な一例を図面に基づいて詳細に説明する。図１は、本発明に係わるディスク再生装置の一例として車載用ＣＤプレーヤを示す。
【００１０】
図中、２は金属製のシャーシであり、このシャーシ２の一端面には装填口２１を形成してある。
【００１１】
そのシャーシ２は凹字形に形成したベース３と、このベース３の上端に固定される天板４で成り、その内部に大小２種類のディスク状記録媒体を収容できるようにしてある。Ｄ，ｄはディスク状記録媒体としてのコンパクトディスクであり、これは装填口２１を通じてシャーシ２の中に装填され、また必要に応じて装填口２１から取り出せるようにしてある。
【００１２】
次に、図２はシャーシの内部を示した平面概略図である。図２において、５は鋼板などを所定形状に成形した基板であり、この基板５はベース３に固定したゴム製ダンパなどの緩衝器ｆにて３箇所を支持されている。基板５には略中央にモータ５１を固定し、またモータ５１に近接して開口部５２を形成してある。そして、モータ５１の駆動軸にターンテーブル５３を取り付け、開口部５２にはガイド軸５４に沿って動作するピックアップ５５を設けている。なお、ピックアップ５５はディスク状記録媒体の記録情報を読み取る既存の電子部品であって、これは基板５に固定した可逆モータ５６の動力を受け、ディスク状記録媒体の信号面に沿って平行移動するようにしてある。
【００１３】
また、６は鋼板などを所定形状に成形した可動板であり、この可動板６は基端両側を基板５に枢着して先端部が基板５に対して揺動するようにしてある。特に、その先端部にはターンテーブル５３に対向してクランプ盤６１を回転自在に取り付けている。ここで、ターンテーブル５３とクランプ盤６１は通常の状態にあって一定の間隔をあけて近接しており、ディスク状記録媒体が装填されたときクランプ盤６１が下降し、このクランプ盤６１とターンテーブル５３とでディスク状記録媒体の中心をクランプするようになっている。なお、６２は可動板６の一部を基板５側に向けて屈曲した止金、Ｒはディスク状記録媒体を移送する送りローラである。
【００１４】
次に、図３は天板４の裏面に取り付けた判別機構を示す。７１，７２は連動リンク、７３はロックプレート、７４は直動リンク、７５は揺動リンクであり、それぞれ合成樹脂や鋼板を所定形状に成形して成る。判別機構はそれら数種の部品７１〜７５を天板４の裏面に取り付けて成り、この判別機構によれば径の異なる大小２種類のディスク状記録媒体として、例えば直径１２ｃｍのコンパクトディスクと直径８ｃｍのコンパクトディスクを判別して各々定位置に案内することができる。
【００１５】
連動リンク７１，７２は、矢印Ａで示すディスク状記録媒体の装填方向の両側にリベット７１ａ，７２ａで揺動自在に取り付けてあり、それぞれ一端を腕部７１ｂ，７２ｂとして装填口２１側に延長し、他端にはベース側に向けて垂下する突部７１ｃ，７２ｃをそれぞれ形成している。特に、腕部７１ｂ，７２ｂの一方に長孔７１ｄを開口し他方にはピン７２ｄを突設している。そして、その長孔７１ｄとピン７２ｄを係合して連動リンク７１，７２の一端を連接し、その連動リンク７１，７２がそれぞれリベット７１ａ，７２ａの部分を回転中心として連動するようにしている。７１ｅ，７１ｆ，７１ｇはピンであり、それぞれ一方の連動リンク７１の側縁から上向きに突設してある。また、７２ｅは他方の連動リンク７２に開口した穴である。この穴７２ｅには捻りばねＳ１の一端を係止し、その他端を天板４の一部に係止している。
【００１６】
ロックプレート７３は、連動リンク７１の上部側でリベット７３ａにて揺動自在に取り付けてあり、その一端を装填口２１に向けて延ばして天板４の一部と引張ばねＳ２で繋いでいる。７３ｂは一端に突設した解錠ピンであり、この解錠ピン７３ｂは装填口２１に近接する状態でベース側に垂下されている。また、７３ｃは他端に突設したロック片であり、このロック片７３ｃはベース側に垂下されてディスク状記録媒体の非装填時に連動リンク７１のピン７１ｅと係合するようにしてある。
【００１７】
直動リンク７４は、連動リンク７１とロックプレート７３の中間にあって、両端に設けたガイドピン７４ａを天板４のガイド孔４１に係合してディスク状記録媒体の装填方向Ａに向け可動とされている。また、その一端にはピン７４ｂを連動リンク７１側に突設させて該ピン７４ｂが連動リンク７１の長孔７１ｈと係合するようにしているとともに、他端には揺動リンク７５をガイドピン７４ａにて揺動自在に取り付けている。
【００１８】
揺動リンク７５は、その一部を引張ばねＳ３を介して直動リンク７４と繋いである。その一端には突起７５ａを設け、他端には係止ピン７５ｂを突設している。突起７５ａは突部７１ｃ，７２ｃの中間に位置してベース側に垂下されており、また係止ピン７５ｂはベースの側面に設けたスライド板８のフック８１に係止して引張ばねＳ３の作用による揺動を規制している。ここで、スライド板８はベースの内部に導入したフック８２に引張ばねＳ４の一端を係止して揺動リンク７５を引張ばねＳ３のばね力に抗して図３の時計方向に付勢している。
【００１９】
なお、図３において、Ｌ１，Ｌ２は天板４に設けたセンサ、７６ａは後述するカバープレートに例えば１２ｃｍの間隔で形成した突条である。
【００２０】
次に、図４はシャーシ２の側面を示す。３１はベース３に形成したガイド溝であり、スライド板８はそのガイド溝３１に沿って摺動可能な状態に取り付けられている。特に、そのガイド溝３１から前述のフック８２をベース３の内部に導入し、他方のフック８１はベース３と天板４の間隙からシャーシ３の内部に導入せしめてある。３２はベース３に形成した円弧溝であり、この円弧溝３２には送りローラＲの端部が係合されている。また、スライド板８には送りローラＲの端部が係合する略４５度勾配の斜溝８３が形成してあり、その斜溝８３の側縁で送りローラＲの端部を加圧して送りローラＲを円弧溝３２に沿って昇降できるようにしてある。更に、スライド板８には長手方向に向けて長孔状の開口部８４を形成している。この開口部８４の上縁にはラック８５を形成し、また開口部８４の一端側にはスライド板８が装填口２１に向けて移動したときにラック８５と噛合するピニオン９４ｂを配設している。なお、８６はスライド板８に形成した窓部であり、その窓部８６には可動軸９６の一端が係合している。
【００２１】
次に、図５はシャーシ２の内部構造を示した側面図である。７６は合成樹脂などで成る平滑なカバープレートであり、このカバープレート７６は装填口２１側にあって天板４の裏面に固定されており、判別機構の一部がそのカバープレート７６にて覆われるようにしている。そして、装填口２１から装填されるコンパクトディスクＤ，ｄが送りローラＲとカバープレート７６とで挟み込まれた状態で移送されるようにしてある。９１は送りローラＲの一端に固定した歯車、９２〜９４はベース３の内側面に取り付けた歯車、９５は正逆駆動するモータＭの駆動軸に装着したウォームであり、それら歯車列によりベース３に固定したモータＭの動力を送りローラＲに伝達するようにしている。歯車９２はウォーム軸９２ａと小歯車９２ｂと大歯車９２ｃを有する三段構成で、このうちウォーム軸９２ａがモータＭのウォーム９５に噛合している。また、歯車９３，９４は二段構成とされており、このうち歯車９３の大歯車９３ａが歯車９２の小歯車９２ｂと噛合し、その小歯車９３ｂが歯車９４の大歯車９４ａと噛合している。なお、歯車９４の一部を前述のラック８５と噛合するピニオン９４ｂとして形成し、そのピニオン９４ｂをベース３の側面から外部に突出させてラック８５に臨めている。
【００２２】
ここで、基板５と可動板６は引張ばねＳ５で繋がれており、その引張ばねＳ５でターンテーブル５３とクランプ盤６１を閉じ方向に付勢している。一方、可動板６には下方に向けて脚部６３を形成し、その脚部６３を通じてターンテーブル５３とクランプ盤６１を開放できるようにしている。すなわち、コンパクトディスクの非装填時には可動軸９６が脚部６３の下端にあって可動板６を押し上げており、このときターンテーブル５３とクランプ盤６１が開放していて装填されるコンパクトディスクＤ，ｄを相互間に受け入れられる状態で待機している。そして、コンパクトディスクＤ，ｄの中心が判別機構にてターンテーブル５３上に案内されたとき、可動軸９６が脚部６３から離脱してコンパクトディスクＤ，ｄの中心がターンテーブル５３とクランプ盤６１とでクランプされることとなる。
【００２３】
次に、図６と図７に基づいて一連の動作を説明する。図６は小径のディスク状記録媒体として直径８ｃｍのコンパクトディスクｄを装填するときの動作を示し、図７は大径のディスク状記録媒体として直径１２ｃｍのコンパクトディスクＤを装填するときの動作を示してある。
【００２４】
図６において、（１）は初期状態であり、この状態にあってコンパクトディスクｄは突条７６ａの間でどこからでも装填することができる。そこで、コンパクトディスクｄを装填口２１より装填すると、これをセンサＬ１が検出して送りローラＲを回転させる。そうすると、コンパクトディスクｄは（２）に示すように送りローラＲでシャーシの内部に移送されるようになる。ここで、ｄ′，ｄ″で示すように装填口２１の両側から装填されたコンパクトディスクｄ′，ｄ″は、端面が突部７１ｃ，７２ｃの一方に衝突するようになる。このとき、連動リンク７１，７２はリベット７１ａ，７２ａを中心として突部７１ｃ，７２ｃの開き方向へ揺動しようとするが、その揺動はロック片７３ｃが連動リンク７１のピン７１ｅに係合していることによって規制される。特に、コンパクトディスクｄ″では装填時にその端面で解錠ピン７３ｂを加圧してロック片７３ｃによる連動リンク７１，７２の揺動規制を一時的に解除することとなるが、その端面が突部７１ｃに衝突する頃には解錠ピン７３ｂがコンパクトディスクｄ″から解放され、ロックプレート７３が引張ばねＳ２の作用で初期状態に復帰してロック片７３ｃが連動リンク７１のピン７１ｅに係合することとなる。このため、コンパクトディスクｄはどの位置から装填しても突部７１ｃ，７２ｃにて進行を阻害されて定位置に停止される。（３）に示すように、コンパクトディスクｄが定位置に停止される直前、その端面は揺動リンク７５の一端に設けた突起７５ａを加圧する。そうすると、揺動リンク７５は図６の反時計方向に回転し、他端に設けた係止ピン７５ｂでスライド板８を引張ばねＳ４のばね力に抗して装填口２１側に移動させるようになる。すると、図４に示すラック８５とピニオン９４ｂが噛合し、モータＭの動力にてスライド板８の移動が継続されることとなる。スライド板８が移動を始めると、その斜溝８３でコンパクトディスクｄを移送していた送りローラＲが押し下げられ、その送りローラＲがコンパクトディスクｄから充分に離れた頃にはスライド板８が図示せぬスイッチを押してモータＭが停止されることとなる。一方、スライド板８の移動時において、（４）に示すようにスライド板８のフック８１がロックプレート７３の末端を加圧してロックプレート７３を図６の時計方向に回転させる。すると、ロック片７３ｃがピン７１ｅから外れ、その直後にロックプレート７３の側縁がピン７１ｆを加圧して連動リンク７１，７２を突部７１ｃ，７２ｃの開き方向に揺動させることとなる。このため、突部７１ｃ，７２ｃがコンパクトディスクｄの端面から離脱し、また揺動リンク７５ではスライド板８による係止ピン７５ｂの押さえが無くなって突起７５ａが引張ばねＳ３の作用でコンパクトディスクｄの端面から離脱するようになる。また、このとき図５に示す可動軸９６がスライド板８にて実線の位置から想像線の位置へと移動されることとなる。このため、可動軸９６で押し上げられていた可動板６は引張ばねＳ５の作用で引き下げられるようになり、このとき定位置に停止しているコンパクトディスクｄの中心がターンテーブル５３とクランプ盤６１とでクランプされて再生準備が整えられる。なお、コンパクトディスクｄの装填完了時にはピン７１ｆがロックプレート７３の側縁に接触し、またピン７１ｇがスライド板８のフック８２に接触することにより振動などによる連動リンク７１，７２のぶらつきが防止される。
【００２５】
次に、図７において、コンパクトディスクＤは（１）に示すように突条７６ａで案内されながら送りローラＲにてシャーシの内部に移送される。特に、コンパクトディスクＤはその端面で解錠ピン７３ｂを加圧しながら進行し、やがて突部７１ｃ，７２ｃに衝突するようになる。その状態が（２）であり、このときロック片７３ｃとピン７１ｅとの係合状態が解かれていて、連動リンク７１，７２は突部７１ｃ，７２ｃの開き方向に揺動可能な状態にある。このため、コンパクトディスクＤは突部７１ｃ，７２ｃを押し広げながら進行を続ける。ここで、突部７１ｃ，７２ｃの間隔が大きく開くと連動リンク７１，７２は捻りばねＳ１の作用で突部７１ｃ，７２ｃが全開する状態まで揺動するようになり、また揺動リンク７５は直動リンク７４を通じて後方へ押しやられるようになる。そして、コンパクトディスクＤが止金６２にて定位置に停止される直面に、その端面が（３）に示すように揺動リンク７５の突起７５ａを加圧することとなる。そうすると、後はコンパクトディスクｄの時と同様で、スライド板８の移動にて突起７５ａがコンパクトディスクＤの端面から離脱するとともに、ターンテーブル５３とクランプ盤６１で定位置にあるコンパクトディスクＤの中心がクランプされて再生準備が整うこととなる。ここで、止金６２はコンパクトディスクＤのクランプ時における可動板６の動作にてコンパクトディスクＤの端面から離脱し、あるいはコンパクトディスクＤがクランプ時にテーパ状のターンテーブル５３にてやや前方へ移動されることによりコンパクトディスクＤの端面から離脱することとなる。なお、（４）に示すコンパクトディスクＤの装填完了時には、スライド板８のフック８２がピン７１ｇと咬み合って振動などによる連動リンク７１，７２のぶらつきを防止する。
【００２６】
以上、本発明の好適な一例を説明したが、本発明のディスク再生装置によれば、径の異なる大小２種類のディスク状記録媒体として、コンパクトディスクＤ，ｄを判別して再生するＣＤプレーヤの他、ＤＶＤプレーヤなどにも応用できることは勿論である。
【００２７】
【発明の効果】
本発明によれば、ディスク状記録媒体の大小を判別する判別機構をシャーシの天板に取り付けているから、ベース側に取り付けられるターンテーブルなどの再生用機器の組立と天板側に取り付けられる判別機構の組立を分業でき生産性が上がり、しかも使用時には判別機構のがたつきが再生用機器を搭載した基板に伝わらないから基板の緩衝性がよく自動車内などの振動下でも良質な音声や映像を再生できる。
【００２８】
また、判別機構は連動リンクをはじめとする極少数の部品で構成しているから故障の危険性が少なく高性能となり、しかも組立が容易で部品の調達も容易になるから製造コストを大幅に低減することができる。
【図面の簡単な説明】
【図１】本発明に係わるディスク再生装置を示す斜視図
【図２】そのディスク再生装置におけるシャーシの内部を示す平面概略図
【図３】本発明の要部を示す判別機構の平面図
【図４】シャーシを示す側面図
【図５】シャーシの内部を示す側面概略図
【図６】小径のディスク状記録媒体の装填時における判別機構の動作を示す平面図
【図７】大径のディスク状記録媒体の装填時における判別機構の動作を示す平面図
【符号の説明】
２  シャーシ
２１  装填口
３  ベース
４  天板
５  基板
５３  ターンテーブル
６  可動板
６１  クランプ盤
７１，７２  連動リンク
７１ｃ，７２ｃ  突部
７３  ロックプレート
７３ｂ  解錠ピン
７３ｃ  ロック片
７４  直動リンク
７５  揺動リンク
７５ａ  突起
Ｄ，ｄ  コンパクトディスク
ｆ  緩衝器
Ｒ  送りローラ
【図１】
0003595055.tif 000002
【図２】
0003595055.tif 000003
【図３】
0003595055.tif 000004
【図４】
0003595055.tif 000005
【図５】
0003595055.tif 000006
【図６】
0003595055.tif 000007
【図７】
0003595055.tif 000008